(57)【特許請求の範囲】
【請求項１】
携帯電子機器から発信された電磁波を検知する受信装置と、前記受信装置に接続する制御装置と、前記制御装置によって制御される警報装置とからなる携帯電子機器の電源切り忘れ自動警告システムであって、
前記受信装置は携帯電子機器から発射される電磁波の存在有無を検知して前記制御装置に適宜報告する機能を有し、前記制御装置は前記受信装置から伝達された報告内容を判断して前記警報装置を制御する機能を有し、少なくとも前記受信装置のアンテナと前記警報装置とを稼働状態にある携帯電子機器の持ち込みを禁止しているエリアの進入口に設けた携帯電子機器の電源切り忘れ自動警告システムであって、
前記携帯電子機器に電磁波の発射を促す命令を送出する送信装置を付加し、少なくとも前記送信装置のアンテナを稼働状態にある携帯電子機器の持ち込みを禁止しているエリアの進入口に設け、
前記送信装置は、前記携帯電子機器に対して、位置登録情報の送出を促す擬似命令を連続的に送出して強制的に前記携帯電子機器に電磁波の送出を促すことを特徴とする、携帯電子機器の電源切り忘れ自動警告システム。
【請求項２】
前記携帯電子機器の電源切り忘れ自動警告システムが、稼働状態にある携帯電子機器の持ち込みを禁止しているエリアの進入口の開放を抑止する扉制御装置とを備え、前記扉制御装置は前記制御装置によって制御されることを特徴とする請求項１に記載の携帯電子機器の電源切り忘れ自動警告システム。
【請求項３】
携帯電子機器の持ち込みを禁止しているエリアの進入口に電磁波の侵入が阻止されたシールドルームを設け、前記受信装置または前記送信装置のうち一方もしくは双方を前記シールドルーム内に設置することを特徴とする請求項１又は２に記載の携帯電子機器の電源切り忘れ自動警告システム。
【発明の詳細な説明】
【０００１】
【発明の属する技術分野】
この発明は、雑音電磁波を嫌う電子機器が設置されているエリアに稼動状態の携帯電子機器が持ち込まれないようにする携帯電子機器の電源切り忘れ自動警告システムに関する。
【０００２】
【従来の技術】
近年、携帯電話、ＰＨＳ、ポケットベルはもちろん、ラジオ、携帯パソコンなどの携帯電子機器からは様々な電磁波が放出されており、これらの電磁波が航空機の無線航行システムや病院の医療システム、各種研究施設における測定器などを誤動作させた例が数多く報告されている。また、電磁波の影響がなくても図書館やコンサート会場など静寂が要求されるエリアにおいては、着信時に比較的大きな音を発する携帯電話、ＰＨＳ、ポケットベルなどの使用を制限もしくは禁止している。
【０００３】
【発明が解決しようとする課題】
しかしながら、稼働状態にある携帯電子機器がこういったエリアへ持ち込まれるのを防ぐための良策がなく、アナウンスや注意書き程度の消極的な対策しかとられていない場合がほとんどである。したがって、携帯電子機器の使用を控えるかどうかは基本的に使用者のマナーにまかせてしまっているから、現状ではこのようなエリアにおいて少なからず不用意に携帯電子機器が使用されてしまっている。
【０００４】
そこで、本発明は、携帯電子機器の稼働状態を検知して、使用が禁止されているエリアに稼動状態にある携帯電子機器が持ち込まれてしまうのを防ぐ携帯電子機器の電源切り忘れ自動警告システムを提供することを目的とする。
【０００５】
【課題を解決するための手段】
前述した目的を達成するため、本発明のうち請求項１に記載の発明は、携帯電子機器から発信された電磁波を検知する受信装置と、前記受信装置に接続する制御装置と、前記制御装置によって制御される警報装置とからなる携帯電子機器の電源切り忘れ自動警告システムであって、前記受信装置は携帯電子機器から発射される電磁波の存在有無を検知して前記制御装置に適宜報告する機能を有し、前記制御装置は前記受信装置から伝達された報告内容を判断して前記警報装置を制御する機能を有し、少なくとも前記受信装置のアンテナと前記警報装置とを稼働状態にある携帯電子機器の持ち込みを禁止しているエリアの進入口に設けた携帯電子機器の電源切り忘れ自動警告システムであって、前記携帯電子機器に電磁波の発射を促す命令を送出する送信装置を付加し、少なくとも前記送信装置のアンテナを稼働状態にある携帯電子機器の持ち込みを禁止しているエリアの進入口に設け、前記送信装置は、前記携帯電子機器に対して、位置登録情報の送出を促す擬似命令を連続的に送出して強制的に前記携帯電子機器に電磁波の送出を促すこととし、これにより自動的に携帯電子機器から発射される電磁波の存在有無をチェックして、稼働状態にある携帯電子機器が不用意に携帯電子機器の持ち込みを禁止しているエリア内に持ち込まれないようにするものである。
【０００７】
また、本発明のうち請求項２に記載の発明は、請求項１に記載の携帯電子機器の電源切り忘れ自動警告システムが、稼働状態にある携帯電子機器の持ち込みを禁止しているエリアの進入口の開放を抑止する扉制御装置を備え、前記扉制御装置が前記制御装置によって制御されることとし、より確実に稼働状態にある携帯電子機器が持ち込まれるのを防ぐものである。
【０００８】
また、本発明のうち請求項３に記載の発明は、請求項１又は２に記載の携帯電子機器の電源切り忘れ自動警告システムにおいて、携帯電子機器の持ち込みを禁止しているエリアの進入口に電磁波の侵入が阻止されたシールドルームを設け、前記受信装置または前記送信装置のうち一方もしくは双方を前記シールドルーム内に設置することとし、前記受信装置の誤作動を防ぐ。
【０００９】
【発明の実施の形態】
本発明の好適な実施例につき以下詳細に説明する。図１に示すように本実施例における携帯電子機器の電源切り忘れ自動警告システムは、受信装置１と、受信装置１に接続する制御装置３と、制御装置３に接続する各種警告装置５と、送信装置７とによって構成され、さらに制御装置３には扉の開放を抑止する扉制御装置９が連結されている。
【００１０】
受信装置１はラジオ、無線機、携帯電話機などの携帯電子機器１１から発射される所定周波数の電磁波を検知した場合、または、検知していた電磁波が途絶えた場合にその旨を適宜制御装置３に報告する機能を有する。
【００１１】
制御装置３は、受信装置１からの報告内容を判断して、各種警告装置５および受信装置１を統括制御する。各種警告装置５は携帯電子機器の所持者に対してその使用を中止するよう注意を促すマンマシンインタフェースであり、ブザー・文字表示板・ランプ・音声発生装置などによって構成される。
【００１２】
ところで、移動電話機によっては基地局からの命令を受けて位置登録情報を基地局に返答する機能を有するものがある。送信装置７は、この種の携帯電子機器１１に位置登録情報の送出を促す疑似命令を連続的に送出し強制的に移動電話機に電磁波の送出を促すものである。送信装置７から送出される電磁波は数十メートル程度の範囲のみをカバーする微弱なもので、この範囲以上の距離にある他の機器には影響を与えない。扉制御装置９は前記制御装置３によって制御され、前記警告装置５と連動して施錠等により進入口の開放を抑止するものである。
【００１３】
本実施例においては、以上に説明したシステムを稼動状態にある携帯電子機器の持ち込みを禁止しているエリアの進入口１３に設置した。受信装置１は、少なくともそのアンテナを進入口１３近辺の天井などのなるべく電磁波を入感しやすい位置に設置すればよいが、空間を飛び交う他の電磁波によって受信装置１が誤作動してしまうことも考えられるため、進入口１３の前に電磁波の侵入を阻止する電磁シールドが施されたシールドルーム１５を設置し、この中に受信装置１自体か少なくともそのアンテナと、警告装置５と、送信装置７自体か少なくともそのアンテナとをそれぞれ配置し、さらに扉制御装置９を進入口１３の扉１６に設置した。図２はその様子を示す説明図である。
【００１４】
ラジオや無線機、携帯電話など電磁波を発射する携帯電子機器の所有者１７がシールドルーム１５に入ると受信装置１は電磁波の存在を検知して制御装置（図示しない）に報告する。制御装置は報告を受けると直ちにシールドルーム１５内に設置されている、ブザー・文字表示板・ランプ・もしくは音声発生装置などの警告装置５を作動させ、携帯電子機器の使用を中止するよう警告するとともに扉制御装置９により扉１６を施錠する等してその進入口の開放を抑止する。携帯電子機器１１の使用が中止されたことが受信装置１から制御装置に知らされると、制御装置は警告装置５の作動を停止すると共に扉１６の施錠を解除する等して進入口を開放可能とし、所有者１７の進入を許可する。
【００１５】
以上実施例により説明したように、本発明によれば、電磁波を発射している携帯電子機器１１の所有者に警告を促し、さらには進入口の扉１６を開放を抑止してその進入を阻止してしまうので、より確実に稼働状態にある携帯電子機器１１の持ち込みを防ぐことができる。
【００１６】
【発明の効果】
携帯電子機器から所定周波数の電磁波の存在有無を検知して稼働状態にある携帯電子機器の所有者に警告するようにしたため、電磁波による誤作動のおそれのあるエリアに稼動状態にある携帯電子機器が持ち込まれてしまうのを防ぐことができる。
【００１７】
また、携帯電子機器に電磁波の発射を促す命令を送出する送信装置を付加し、少なくとも送信装置のアンテナを稼働状態にある携帯電子機器の持ち込みを禁止しているエリアの進入口に設け、送信装置は、携帯電子機器に対して、位置登録情報の送出を促す擬似命令を連続的に送出して強制的に携帯電子機器に電磁波の送出を促すこととしたため、所持する携帯電子機器が携帯電話であればより確実に電磁波による誤作動のおそれのあるエリアに稼動状態にある携帯電子機器が持ち込まれてしまうのを防ぐことができる。
【００１８】
さらに、稼働状態にある携帯電子機器の持ち込みを禁止しているエリアの進入口の施錠を制御して進入口の開放を抑止する扉制御装置とを備えることにより稼働状態にある携帯電子機器の所有者の前記エリア内への進入を制限するため、より確実に前記エリア内に稼動状態にある携帯電子機器が持ち込まれてしまうのを防ぐことができる。
【図面の簡単な説明】
【図１】本発明の１実施例のブロック構成図である。
【図２】本発明の１実施例の説明図である。
【符号の説明】
１  受信装置
３  制御装置
５  警告装置
７  送信装置
９  扉制御装置
１１  携帯電子機器
１３  進入口
１５  シールドルーム
１６  扉
１７  携帯電子機器の所有者
【図１】
0003780618.tif 000002
【図２】
0003780618.tif 000003